(57)【要約】      （修正有）【課題】位置合わせが容易で、携帯に便利な小型のパンチを提供する。【解決手段】パンチ基台１０のスリット３に、折り重ねられた状態で挿入された用紙の側縁部が当接される側壁部３ｂと、折り曲げられた端縁部が当接される奥壁部３ａとを設けた。奥壁部とパンチ刃との距離を、規格サイズの綴じ孔の長さの１／２に設定することで、１つのパンチ刃によって２穴の綴じ孔を設けることができる。奥壁部と側壁部とが交わる交点部３ｃが、基台の上面４０に設けられた開口部４１を介して露呈されるようにすることで、用紙の角部が交点部に位置していることを確認しながら穿孔操作を行うことができる。【選択図】図２
2015003364.tif 000002
【特許請求の範囲】
【請求項１】
パンチ刃（２０）が摺接しなから案内される案内路（１１）と、該案内路（１１）に直交するスリット（３）と、を有する基台（１０）に、刃先を下方に向けた前記パンチ刃（２０）を上方に付勢させた状態で組み付け、該パンチ刃（２０）を押し下げることによって、折り重ねられた状態で前記スリット（３）に挿入されたシート（２）を穿孔するパンチ（１）であって、
前記シート（２）の折り曲げられた端縁部（２ａ）が当接される奥壁部（３ａ）を前記スリット（３）に設け、該奥壁部（３ａ）と前記パンチ刃（２０）との間の距離を、規格サイズの綴じ孔間の距離の１／２の長さに設定したことを特徴とするパンチ。
【請求項２】
前記折り曲げられたシート（２）の側縁部（２ｂ）が当接される側壁部（３ｂ）を、前記奥壁部（３ａ）に対して９０°の角度をなす位置に設けたことを特徴とする請求項１に記載のパンチ。
【請求項３】
前記奥壁部（３ａ）と前記側壁部（３ｂ）とが交わる交点部（３ｃ）が、前記基台（１０）の上面（４０）に設けられた開口部（４１）を介して露呈されるように構成したことを特徴とする請求項２に記載のパンチ。
【請求項４】
前記奥壁部（３ａ）の延長部（３ａ’）と、前記側壁部（３ｂ）の延長部（３ｂ’）とが交わる交点部が、前記基台（１０）の上面（４０）に設けられた開口部（４１’）を介して露呈されるように構成したことを特徴とする請求項２に記載のパンチ。
【請求項５】
前記パンチ刃（２０）を押し下げるための操作部（４）を上面に有する筒状のキャップ部材（２２）の下端部にフランジ部（２４）を設けると共に、該フランジ部（２４）が通過する溝部（４４）を介し、前記案内路（１１）に沿って延びる壁面（４３）を前記基台（１０）の上面（４０）から延設し、該壁面（４３）の下端部に、前記キャップ部材（２２）が回転されることで前記フランジ部（２４）を係止させる係止部（４５）を設けたことを特徴とする請求項１〜請求項４の何れかの１つの請求項に記載のパンチ。
【請求項６】
前記スリット（３）に挿入されるシートの厚さを規制する規制部材（６）を設けたことを特徴とする請求項１〜請求項５の何れか１つの請求項に記載のパンチ。
【請求項７】
ストラップを取り付けるための吊り下げ部（６０）を設けたことを特徴とする請求項１〜請求項６の何れか１つの請求項に記載のパンチ。
【発明の詳細な説明】
【技術分野】
【０００１】
本発明は、１つのパンチ刃で複数の穴を設けることができるパンチに関し、特に、極めて小さく、位置合わせが容易なパンチに関する。
【背景技術】
【０００２】
１つのパンチ刃で複数の穴を設けることができる小型パンチとして、前端部にパンチ穴が設けられた本体部と、それに対応する位置にパンチ刃を固着させたハンドル部とを後端部において回動可能に組みつけて構成されたパンチが提案されている（特許文献１）。
このパンチは、パンチ穴の中心から４０ｍｍの位置、及び１２ｍｍの位置に規制部を設けると共に、本体部の上面と側面に、パンチ穴の中心から４０ｍｍ、３１．５ｍｍ、２８．５ｍｍ、１２ｍｍの位置に指標部を設け、その指標部の近くに４個の穴符号を表示して構成することで、１つのパンチ刃によって、１穴、２穴、３穴、４穴の穿孔を可能としている。
【０００３】
Ａ４判サイズの用紙に２穴の穿孔を行う場合は、用紙を二つ折りにした状態で本体部とハンドル部との間に挿入し、ハンドル部を押し下げる。
市販のファイルに採用されている綴じ孔の規格サイズは、２穴間の距離が８０ｍｍのものが多いので、例えば４０ｍｍの指標部に位置合わせを行うことで、１つのパンチ刃によって複数の穴からなるファイル用の綴じ孔を設けることが可能となる。
【先行技術文献】
【特許文献】
【０００４】
【特許文献１】特許第３９４３７３３号公報
【発明の概要】
【発明が解決しようとする課題】
【０００５】
しかしながら、特許文献１のパンチは、前端部にパンチ穴が設けられた本体部と、それに対応する位置にパンチ刃を固着させたハンドル部とが後端部において回動可能に結合された構造なので、パンチ穴から回動支軸までの長さが、規格サイズの１／２（例えば４０ｍｍ）よりも遥かに長くなり、小型化には限界がある。また、指標部にあわせて用紙の位置を選択する必要があり煩雑である。
そこで、本発明は、極めて小さく、位置合わせが容易なパンチの提供を目的とする。
【課題を解決するための手段】
【０００６】
上記課題を解決するために、本発明は、パンチ刃が摺接しなから案内される案内路と、該案内路に直交するスリットと、を有する基台に、刃先を下方に向けた前記パンチ刃を上方に付勢させた状態で組み付け、該パンチ刃を押し下げることによって、折り重ねられた状態で前記スリットに挿入されたシートを穿孔するパンチであって、前記シートの折り曲げられた端縁部が当接される奥壁部を前記スリットに設け、該奥壁部と前記パンチ刃との間の距離を、規格サイズの綴じ孔間の距離の１／２の長さに設定したことを特徴とするものである。
規格サイズとは、市場で販売されているファイルの綴じ孔間の長さであり、例えば日本国内で販売されている二穴のファイルの場合は、綴じ孔の中心部から隣接する綴じ孔の中心部までの距離は８０ｍｍである。
【０００７】
この場合、前記折り曲げられたシートの側縁部が当接される側壁部を、前記奥壁部に対して９０°の角度をなす位置に設けてもよい。
また、前記奥壁部と前記側壁部とが交わる交点部が、前記基台の上面に設けられた開口部を介して露呈されるように構成してもよい。
或いは、前記奥壁部の延長部と、前記側壁部の延長部とが交わる交点部が、前記基台の上面に設けられた開口部を介して露呈されるように構成してもよい。
【０００８】
また、前記パンチ刃を押し下げるための操作部を上面に有する筒状のキャップ部材の下端部にフランジ部を設けると共に、該フランジ部が通過する溝部を介し、前記案内路に沿って延びる壁面を前記基台の上面から延設し、該壁面の下端部に、前記キャップ部材が回転されることで前記フランジ部を係止させる係止部を設けてもよい。
また、前記スリットに挿入されるシートの厚さを規制する規制部材を設けてもよい。
さらに、ストラップを取り付けるための吊り下げ部を設けてもよい。
【発明の効果】
【０００９】
請求項１に係るパンチは、パンチ刃が摺接しなから案内される案内路と、それに直交するスリットとを有する基台に、刃先を下方に向け、上方に付勢させた状態でパンチ刃を組み付けて構成したパンチにおいて、スリットの奥壁部とパンチ刃との間の距離を、規格サイズの綴じ孔間の距離の１／２の長さに設定したので、シートを折り重ねてスリットに挿入することで、１つのパンチ刃で複数の穴を形成することができる。
この際、スリットの奥壁部にシートの端縁部を当接させるだけで位置合わせができるので、規格サイズの２穴の綴じ孔を失敗することなく形成することができる。
パンチの基台として必要とされる長さは、綴じ孔間の長さの１／２よりも僅かに長い程度で済むので、複数の孔を設けることができる多穴パンチでありながら、極めて小さい形状とすることができる。
【００１０】
請求項２に係るパンチは、折り曲げられたシートの側縁部が当接される側壁部を、前記奥壁部に対して９０°の角度をなす位置に設けたので、側壁部と奥壁部の双方に当接させて位置合わせを行うことで、正確な位置に綴じ孔を設けることが可能となる。
請求項３に係るパンチは、奥壁部と側壁部とが交わる交点部が、基台の上面に設けられた開口部を介して露呈されるように構成したので、奥壁部と側壁部との交点部に用紙の角部が位置していることを目で確認しながら穿孔操作を行うことで、より正確な位置合わせが可能となる。
請求項４に係るパンチは、スリットに挿入した用紙の角部を、開口部から引っ張ることで、用紙の角部を、奥壁部の延長部と側壁部の延長部とが交わる交点部に正確に位置させることができる。これによって、一層正確な位置合わせが可能となる。
【００１１】
請求項５に係るパンチは、操作部を押し下げて回転させることによって、操作部を基台の内部に収納することができるので、不使用時には嵩を低くすることができる。これによって、ペンケースなどの中に入れて容易に持ち運ぶことができる。
請求項６に係るパンチは、厚みのあるシートがスリット内に挿入されるのを規制することができるので、パンチ刃の穿孔能力に応じた使用を促すことができる。
請求項７に係るパンチは、吊り下げ部を有するので、身につけて携帯することが可能となる。
【図面の簡単な説明】
【００１２】
【図１】本発明の第１実施形態に係るパンチを示す斜視図である。
【図２】上記パンチの使用状態を示す説明図であり、（ａ）は用紙を折り曲げて穿孔する状態、（ｂ）は綴じ孔が設けられた状態を示す。
【図３】上記パンチの六面図であり、（ａ）は側壁部に向けて挿入する側から見た場合の正面図、（ｂ）は背面図、（ｃ）は右側面図、（ｄ）は左側面図、（ｅ）は平面図、（ｆ）は底面図である。
【図４】上記パンチの使用状態を示し、（ａ）は平面図、（ｂ）はＡ−Ａ線矢視図であり、（ｃ）はＢ−Ｂ線矢視断面図であり、（ｄ）はＣ−Ｃ線矢視断面図である。
【図５】上記パンチの操作部の組み付け状態を示す斜視図であり、（ａ）は操作部を構成するキャップ部材、（ｂ）は上板の開口部の内壁面、（ｃ）はキャップ部材が上板の内壁面に組みつけられた状態を示す。
【図６】上記パンチの操作部が収納される状態を示す断面図であり、（ａ）は操作部を押し下げた状態、（ｂ）は操作部を回転させて係止させた状態を示す。
【図７】上記パンチの第１変形例を示し、（ａ）は側壁部に向けて挿入する側から見たときの正面図、（ｂ）は背面図、（ｃ）は右側面図、（ｄ）は左側面図、（ｅ）は使用状態を示す平面図、（ｆ）は底面図である。
【図８】上記パンチの第２変形例を示し、（ａ）は側壁部に向けて挿入する側から見たときの正面図、（ｂ）は背面図、（ｃ）は右側面図、（ｄ）は左側面図、（ｅ）は使用状態を示す平面図、（ｆ）は底面図である。
【発明を実施するための形態】
【００１３】
本発明の好適な実施形態について、添付図面に基づいて説明する。なお、実施形態は以下の形態に限定されるものではなく、本発明の課題を解決しうるものであれば他の態様も実施可能である。
【００１４】
図１は、本発明の第１実施形態に係るパンチ１を示す斜視図である。
このパンチ１は、規格サイズの綴じ孔を設けるための小型の二穴パンチであり、図２に示すように、用紙２を二つ折りにした状態でスリット３に挿入し、折り曲げられた端縁部２ａと、折り重ねられた側縁部２ｂとを、奥壁部３ａと側壁部３ｂとに当接させた状態で操作部４を押し下げることによって、１つのパンチ刃で２つの綴じ孔５、５を同時に設けるものである。
【００１５】
外観としては、図３に示すように、扁平な直方体形状を成しており、用紙を挿入するためのスリット３を、隣接する２つの壁面１０ｃ、１０ｄにわたってＬ字状に設けている。
スリット３が設けられていない壁面１０ａ、１０ｂの内側は、挿入された用紙を当接させるための奥壁部３ａと側壁部３ｂとなっている。
【００１６】
このパンチ１は、図４に示すように、スリット３の設けられた基台１０と、操作部４によって押し下げられるパンチ刃２０と、基台１０とパンチ刃２０との間に介装されるバネ３０と、基台１０の上面に設けられた上板４０と、下面に設けられた底板５０と、によって構成されている。
基台１０は、金属やプラスチックなどの硬質な部材からなり、スリット３と直交する方向に、パンチ刃２０を案内するための案内路１１が設けられる。基台１０は側壁部３ｂに沿って長く設計されており、案内路１１は、挿入側（奥壁部３ａとは反対側）の端部に設けられる。
【００１７】
この案内路１１に、パンチ刃１０が、刃先を下方に向けた状態で組みつけられる。パンチ刃２０の上端部には操作部４が設けられており、基台１０との間に配設されたバネ３０によって、基台１０に対して上方に付勢された状態となっている。パンチ刃２０は、案内路１１に摺接しなから案内され、案内路１１とスリット３とが交差する角部における協働によって、用紙を穿孔する。
【００１８】
用紙は側縁部の中央で折り曲げられた状態でスリット３に挿入されるが、挿入される用紙の厚さや枚数を規制するための規制部材６を設けることで、パンチ刃の穿孔能力に応じた使用を促すようにしている。
用紙２の折り曲げられた端部２ａを奥壁部３ａに当接させて穿孔操作を行うが、１つのパンチ刃２０で規格サイズの２穴の綴じ孔を設けることができるようにするために、奥壁部３ａとパンチ刃２０（即ち、案内路１１）の中心部との間の距離Ｌが、規格サイズの綴じ孔間の距離の１／２の長さ（例えば、４０ｍｍ）に設定されている（図２を参照）。
【００１９】
また、用紙２の側縁部２ｂから一定の位置に綴じ孔５、５が設けられるようにするために、奥壁部３ａに対して９０°の角度をなす位置に、スリット３に挿入された用紙の側縁部２ｂを当接させるための側壁部３ｂを設けている。
スリット３は、基台１０に設けられた上刃部１５と、基台１０の底面部１６との間の隙間として設計されており、奥壁部３ａと側壁部３ｂは、基台１０の底面部１６から上方に立ち上げられた定規部として設計されている。この奥壁部３ａと側壁部３ｂとの角部において、用紙の角部を当接させるための交点部３ｃが形成される。
【００２０】
交点部３ｃの上方は、斜めに切りかかれた開口部４１となっている。即ち、基台１０の上面には、長方形の１つの角部を切り欠いた形状の上板４０が嵌め込まれており、この切り欠かれた部位が、用紙の位置合わせを行うための開口部４１となる。
開口部４１から、奥壁部３ａと側壁部３ｂとが交わる交点部３ｃが露呈されており、交点部３ｃに用紙の角部が位置していることを確認しながら穿孔操作を行うことができる。
【００２１】
開口部４１は、スリット３の高さＨよりも若干高い位置で切り欠かれた状態となっている。
即ち、スリット３の奥壁部３ａの外側の外壁部１０ａの長さＸは、挿入側の壁部１０ｃの長さよりも短く、スリット３の側壁部３ｂの外壁部１０ｂの長さＹは、挿入側の側壁部１０ｄの長さよりも短く設計されている（図３を参照）。夫々の外壁部１０ａ、１０ｂは、斜壁部１０ｅを介して連続されており、用紙の角部が当接されることとなる交点部３ｃが現われるようになっている。
【００２２】
上板４０には、操作部４を取り付けるための開口部４２が設けられており、その開口部４２には、図５に示すように、筒状のキャップ部材２２が上下動可能に取り付けられている。
キャップ部材２２は、上面に設けられた操作部４を押し下げることで、パンチ刃２０を下降させるためのものであり、基台１０の案内路１１に沿って延びる周側面２３の下端にフランジ部２４を設けて構成される。
【００２３】
フランジ部２４は、キャップ部材２２を上板４０の開口部４２に係止させるためのものであるが、不使用時に、キャップ部材２２を基台１０の内部に収納できるようにするために、以下のように設計されている。
即ち、上板４０の開口部４２には、図５（ｂ）に示すように、内側に向けて内壁面４３が形成されている。この内壁面４３は、キャップ部材２２のフランジ部２４を通過させるための溝部４４を介して、等間隔（本実施例の場合は２箇所）に設けられている。
キャップ部材２２は、開口部４２の内壁面４３の中に組み付けられており、上面の操作部４を押し下げた際に、図６(ａ)に示すように、そのガイド壁２３が内壁面４３に沿って下降する。
【００２４】
そして、下降位置において水平方向Ｄに回転させた際に、フランジ部２４が上板開口部４２の内壁面４３の下端部に設けられた段差状の係止部４５において係止される（図５（ｃ）及び図６（ｂ）を参照）。
この際のキャップ部材２２の回転を促して、フランジ部２４が係止部４５に円滑に嵌合されるようにするためのガイド部４６が、角部に設けられている。
【００２５】
基台１０の底面部１６には、パンチ屑を収容するための収納部１７が設けられており、蓋状の底板５０によって覆われている。底板５０は、中間部に肉薄の折り曲げ部５１を形成し、パンチ屑を捨てる際には、折り曲げ部５１を中心に回動させて開閉してもよい（図４（ｂ）を参照）。
底板５０の近傍には、ストラップを取り付けるための吊り下げ部６０が設けられている。
上記構成のパンチ１によって、用紙２に綴じ孔５を設ける方法を、図２を参照して説明する。
【００２６】
先ず、用紙２を側縁部２ｂの中央で二つ折りにし、折り曲げられた端縁部２ａの側からスリット３内に挿入し、端縁部２ａを奥壁部３ａに当接させ、側縁部２ｂを側壁部３ｂに当接させる。すると、基台１０の底面部１６の上面に用紙２が載置され、上板４０の開口部４１を介して露呈される。
開口部４１を介して、用紙２の角部が奥壁部３ａと側壁部３ｂの交点部３ｃに位置していることを確認しながら、操作部４を押し下げる。すると、パンチ刃２０が案内路１１を下降し、スリット３に挿入された用紙２を穿孔する。
用紙は２つに折り重ねられているので、１つのパンチ刃２０によって２つの孔を設けることができる。
【００２７】
この場合、奥壁部２ａとパンチ刃２０との間の距離が、規格サイズの綴じ孔間の距離の１／２の長さに設定されているので、規格のサイズの２穴の綴じ孔を形成することができる。必要とされる基台１０の長さは、綴じ孔間の略半分の長さ（１／２よりも僅かに長い程度の長さ）で済むので、小型化することができる。
不使用時には、操作部４を押し下げて水平方向に回転させることで、キャップ部材２２を基台１０の内部に収納させ、操作部４が上板４０と略面一になるようにすることができる。これによって嵩張ることなく、ペンケースに収納して携行することが可能となる。
吊り下げ部にストラップを取り付ければ、身に付けることもできる。
【００２８】
なお、本実施形態のパンチ１には、折り曲げられた用紙の側縁部２ａを当接させるための側壁部３ａが設けられているが、側壁部３ａは必ずしも必要ではない。この場合、例えば図７に示すような形状とすることができる。図７（ｅ）に示すように、用紙２を側壁面１０ｂに合わせることで、用紙２の側縁部２ａから綴じ孔までの距離を一定にすることが可能となる。
【００２９】
また、図８に示すパンチ１’のように、斜壁部１０ｅを下まで延長させてもよい。この場合、奥壁部３ａの延長部３ａ’と側壁部３ｂの延長部３ｂ’との交点部が、基台１０の上面４０に設けられた開口部４１’を介して露呈されるようになる。この交点部に、用紙２の角部２ｃを位置させることによって、位置合わせが可能となる。
本実施例に係るパンチ１’によれば、スリット３に挿入した用紙２の角部２ｃを、開口部４１’から引っ張ることで位置合わせを行うことができるので、視認によらずとも確実な位置合わせが可能となる。
【産業上の利用可能性】
【００３０】
本発明は、紙に限らず、あらゆる材質のシートに複数の綴じ孔を設けるためのパンチとして、あらゆる産業分野に利用することができる。
【符号の説明】
【００３１】
１、１’・・・パンチ
２・・・用紙
３・・・スリット
３ａ・・・奥壁部
３ｂ・・・側壁部
３ｃ・・・交点部
４・・・操作部
５・・・綴じ孔
６・・・規制部材
１０・・・基台
１０ａ、１０ｂ、１０ｃ、１０ｄ・・・外壁部
１０ｅ・・・斜壁部
１１・・・案内路
１５・・・上刃部
１６・・・底面部
１７・・・収容部
２０・・・パンチ刃
２２・・・キャップ部材
２３・・・周側面
２４・・・フランジ部
３０・・・バネ
４０・・・上板
４１、４２・・・開口部
４３・・・内壁面
４４・・・溝部
４５・・・係止部
４６・・・ガイド部
５０・・・底板
５１・・・折り曲げ部
６０・・・吊り下げ部
【図１】
2015003364.tif 000003
【図２】
2015003364.tif 000004
【図３】
2015003364.tif 000005
【図４】
2015003364.tif 000006
【図５】
2015003364.tif 000007
【図６】
2015003364.tif 000008
【図７】
2015003364.tif 000009
【図８】
2015003364.tif 000010